(57)【要約】【課題】降雨によってもタイル間の目地溝内の汚れによってタイル壁の外観が損なわれるのを防止でき、メンテナンス費を削減すること。高度の熟練技術を必要とすることなく単純な張付作業を行うのみでタイル壁を短時間で構築すること。【解決手段】建物の壁面１に複数枚のタイル２が張り付けられると共にタイル２間に目地溝４が形成され、少なくともタイル２間の横方向Ａの目地溝４の開口４ａ側の幅Ｃが狭く且つ奥４ｂ側の幅Ｄが広くなるように、縦方向Ｂに隣接する上段側のタイル２の下端面２ａ及び下段側のタイル２の上端面２ｂをそれぞれ傾斜させてなるタイル壁３である。【選択図】図１
2007332568.tif 000002
【特許請求の範囲】
【請求項１】
建物の壁面に複数枚のタイルが張り付けられると共にタイル間に目地溝が形成され、少なくともタイル間の横方向の目地溝の開口側の幅が狭く且つ奥側の幅が広くなるように、縦方向に隣接する上段側のタイルの下端面及び下段側のタイルの上端面をそれぞれ傾斜させてなることを特徴とするタイル壁。
【請求項２】
上記横方向の目地溝と直交する縦方向の目地溝の開口側の幅が狭く且つ奥側の幅が広くなるように、横方向に隣接する一方のタイルの一側面及び他方のタイルの他側面をそれぞれ傾斜させてなることを特徴とする請求項１記載のタイル壁。
【請求項３】
上記タイルの表面を光触媒層でコーティングしたことを特徴とする請求項１又は請求項２記載のタイル壁。
【請求項４】
請求項１又は請求項２記載のタイルを所定枚数で１組としたタイル群を、壁面以外の場所で、目地溝に相当する隙間をあけて整列させた状態で各タイルの前面間に跨るように台紙を水溶性糊にて仮接着することで、台紙を利用してタイル群を一体化してなることを特徴とするタイル壁に用いるタイルユニット。
【請求項５】
上記タイルの表面を光触媒層でコーティングしたことを特徴とする請求項４記載のタイル壁に用いるタイルユニット。
【発明の詳細な説明】
【技術分野】
【０００１】
本発明は、タイル壁及び該タイル壁に用いるタイルユニットに関するものである。
【背景技術】
【０００２】
マンション、一戸建て住宅等の建築物の外壁構造に十分な質感を与えるために、建築物の外壁構造には仕上げ材としてタイルが多く用いられている。この場合、タイル間に目地溝を形成したタイル壁が一般に知られている（例えば、特許文献１参照）。
【０００３】
ところで、タイルの前面に付着した油等の汚れは、払拭により簡単に除去することができるが、目地溝内に入った汚れは払拭の程度では簡単に除去することができず、経年により汚れが目立つようになる。特に上記特許文献１にみられる従来例では、図５（ａ）に示すように、建物の壁面１に複数枚のタイル２が接着剤１１により張り付けられると共にタイル２間に目地溝４が形成されたタイル壁において、目地溝４が断面コ字状に形成されているため、目地溝４内に堆積した埃や油などの汚れ１２が外部から目立ちやすいものである。そのうえ降雨の際にタイル２を伝って下方向へ流れる雨水Ｗが目地溝４内に浸入しやすく且つ目地溝４の開口４ａ側から流出しやすいものであり、これによって図５（ｂ）に示すように目地溝４内に雨水ＷのＵターン流路１０が形成され、目地溝４内に堆積した汚れ１２がタイル２の前面２ｆに流出してしまい、結果、タイル２の前面２ｆを汚してしまうという問題がある。このため従来では、タイル壁３の前面２ｆを美しく維持するためには定期的に清掃する必要があり、多大なメンテナンス費を要するものであった。
【特許文献１】特開平１１−３５０７０４号公報
【発明の開示】
【発明が解決しようとする課題】
【０００４】
本発明は上記の従来の問題点に鑑みて発明したものであって、降雨によってもタイル間の目地溝内の汚れによって外観が損なわれるのを防止でき、メンテナンス費を削減できるタイル壁を提供することを課題とし、さらに高度の熟練技術を必要とすることなく単純な張付作業を行うのみでタイル壁を短時間で構築できるタイル壁に用いるタイルユニットを提供することを課題とするものである。
【課題を解決するための手段】
【０００５】
前記課題を解決するために本発明のタイル壁は、建物の壁面１に複数枚のタイル２が張り付けられると共にタイル２間に目地溝４が形成され、少なくともタイル２間の横方向Ａの目地溝４の開口４ａ側の幅Ｃが狭く且つ奥４ｂ側の幅Ｄが広くなるように、縦方向Ｂに隣接する上段側のタイル２の下端面２ａ及び下段側のタイル２の上端面２ｂをそれぞれ傾斜させてなることを特徴としている。
【０００６】
このような構成とすることで、横方向Ａの目地溝４の開口４ａ側の幅Ｃを狭くすることで、横方向Ａの目地溝４内に埃や油などの汚れ１２が堆積しても外部からは目立ちにくい構造となる。また降雨の際に横方向Ａの目地溝４内に雨水Ｗが浸入しても、その目地溝４の奥４ｂ側の幅Ｄが広くなっているため、浸入した雨水Ｗは幅Ｃが狭い開口４ａ側に戻らず、奥４ｂ側の広い溝部分を伝って排水されるようになる。従って、横方向Ａの目地溝４内に堆積した汚れ１２が雨水Ｗによってタイル２の前面２ｆに流出してしまうのを防止できるようになる。
【０００７】
また上記横方向Ａの目地溝４と直交する縦方向Ｂの目地溝５の開口５ａ側の幅Ｃ´が狭く且つ奥５ｂ側の幅Ｄ´が広くなるように、横方向Ａに隣接する一方のタイル２の一側面２ｃ及び他方のタイル２の他側面２ｄをそれぞれ傾斜させてなるのが好ましく、この場合、縦方向Ｂの目地溝５の開口５ａ側の幅Ｃ´を狭くすることで、縦方向Ｂの目地溝５内に埃や油などの汚れ１２が堆積しても外部からは目立ちにくい構造となる。また降雨の際に縦方向Ｂの目地溝５内に雨水Ｗが浸入したり、或いは横方向Ａの目地溝４内に浸入した雨水Ｗが縦方向Ｂの目地溝５内に流れ込んだりした場合でも、目地溝５の奥５ｂ側の幅Ｄ´が広くなっているため、雨水Ｗは幅Ｃ´が狭い開口５ａ側に戻らず、奥５ｂ側の広い溝部分を伝って排水されるようになる。従って、各目地溝４，５内に堆積した汚れ１２が雨水Ｗによってタイル２の前面２ｆに流出してしまうのを防止できるようになる。
【０００８】
また本発明に係るタイル壁に用いるタイルユニットは、上記タイル２を所定枚数で１組としたタイル２群を、壁面１以外の場所で、目地溝４（５）に相当する隙間Ｓ１（Ｓ２）をあけて整列させた状態で各タイル２の前面２ｆ間に跨るように台紙９を水溶性糊８にて仮接着することで、台紙９を利用してタイル２群を一体化してなることを特徴としている。
【０００９】
このような構成とすることで、所定枚数のタイル２群を一体化したタイルユニット７を一度で壁面１に張り付けることができ、しかも各タイル２は台紙９によって目地溝４（５）に相当する隙間Ｓ１（Ｓ２）をあけて保持されているため、熟練者でなくてもタイル２が上下・左右にずれたり斜めになったりして張り付けられてしまうことがなく、タイル２の張付作業を効率良く且つ外観良く行なうことができる。
【００１０】
また上記タイル２の表面を光触媒層６でコーティングするのが好ましく、この場合、施工後にタイル２の表面に付着した油などの有機物の汚れを光触媒を利用して自己浄化（セルフクリーニング）できるので、タイル２の表面をより長期に亘って美しく維持できるようになる。
【発明の効果】
【００１１】
本発明に係るタイル壁は、少なくともタイル間の横方向の目地溝の開口側の幅が狭く且つ奥側の幅が広くなるように、縦方向に隣接する上段側のタイルの下端面及び下段側のタイルの上端面をそれぞれ傾斜させたことにより、横方向の目地溝内に埃や油などの汚れが堆積しても外部からは目立ちにくくなると共に、降雨の際に横方向の目地溝内に浸入した雨水が目地溝内に堆積した汚れをその目地溝の開口から流出させてしまうことがなくなり、この結果、タイルの前面の外観を長期に亘って美しく維持することができ、メンテナンス費を削減できるものである。
【００１２】
また本発明に係るタイル壁に用いるタイルユニットは、所定枚数のタイル群を一体化したタイルユニットを一度で壁面に張り付けることができ、しかも各タイルは台紙によって目地溝に相当する隙間をあけて保持されているため、高度の熟練技術を必要とすることなく単純な張付作業を行うのみでタイル壁を短時間で構築でき、施工工数及び施工期間を大幅に削減できるものである。
【発明を実施するための最良の形態】
【００１３】
以下、本発明を添付図面に示す実施形態に基いて説明する。
【００１４】
図１（ａ）は本発明の一実施形態に係るタイル壁３の側面断面図であり、（ｂ）は横方向Ａの目地溝４を拡大した側面断面図であり、（ｃ）は横方向Ａの目地溝４と縦方向Ｂの目地溝５とが交差している部分を雨水Ｗが流下する状態を説明する概略斜視図であり、図２は同上のタイル壁３を構築した家屋の概略図である。
【００１５】
建物の壁面１には図１に示すように、複数枚のタイル２が張り付けられると共にタイル２間に目地溝４，５が形成されている。本実施形態ではタイル２は横方向Ａに細長いタイル２を千鳥状に配列して、その裏面２ｅを建物の壁面１に接着して一体化したものである。なおタイル２の材質は、例えば無機質素材からなる陶磁器などで構成される。
【００１６】
上記タイル２間には、横方向Ａの目地溝４及び縦方向Ｂの目地溝５が形成されている。これら目地溝４，５の幅は略同一とされる。
【００１７】
ここで、横方向Ａの目地溝４は、図１（ａ）（ｂ）に示すように、開口４ａ側の幅Ｃが狭く且つ奥４ｂ側の幅Ｄが広くなるように、縦方向Ｂに隣接する上段側のタイル２の下端面２ａ及び下段側のタイル２の上端面２ｂをそれぞれ傾斜させてある。つまり、上段側のタイル２の下端面２ａを水平方向に対して上り傾斜させてあり、下段側のタイル２の上端面２ｂを水平方向に対して下り傾斜させてある。さらに図１（ｃ）に示すように、縦方向Ｂの目地溝５はその開口５ａ側の幅Ｃ´が狭く且つ奥５ｂ側の幅Ｄ´が広くなるように、横方向Ａに隣接する一方のタイル２の一側面２ｃ及び他方のタイル２の他側面２ｄをそれぞれ傾斜させてある。本例では各目地溝４，５の断面形状はそれぞれアリ溝状に形成されている。これら目地溝４，５はタイル壁３の外観にくっきりとした超深堀り感を付与すると共にタイル２の厚みによる重厚感、高級感を付与する働きをする。
【００１８】
しかして、上記横方向Ａの目地溝４の開口４ａ側の幅Ｃを狭くし、また縦方向Ｂの目地溝５の開口５ａ側の幅Ｃ´を狭くしているので、各目地溝４，５内に埃や油などの汚れ１２が堆積しても外部からは目立ちにくい構造となる。
【００１９】
また、降雨の際に目地溝４，５内に雨水Ｗが浸入しても、従来のような目地溝４内に雨水ＷのＵターン流路１０（図４（ｂ））が形成されるのを防止できる。つまり、図１（ｂ）（ｃ）に示すように、横方向Ａの目地溝４内に雨水Ｗが浸入しても、雨水Ｗは横方向Ａの目地溝４の奥４ｂ側の広い溝部分に沿って横に流れ、更に縦方向Ｂの目地溝５の奥５ｂ側の広い溝部分を伝って下方に流れ落ちるようになる。つまりタイル２の下端面２ａ及び上端面２ｂ（側面２ｃ，２ｄも同様）はそれぞれ傾斜して且つその傾斜によって端面２ａの距離Ｌ及び端面２ｂの距離Ｌ（図１（ｂ））がそれぞれ長くなっているため、雨水Ｗがタイル２の端面２ａ，２ｂを伝って開口４ａ側へと戻りにくくなっている。これにより、目地溝４，５内に堆積した汚れ１２が雨水Ｗによって目地溝４の開口４ａ側（目地溝５の開口５ａ側）から流出してタイル２の前面２ｆを汚してしまうことを防止できるので、タイル壁３の外観を長期に亘って美しく維持できるようになり、メンテナンス費を削減できるものである。
【００２０】
なお本実施形態では横方向Ａと縦方向Ｂの目地溝４，５をそれぞれアリ溝状に形成したが、少なくとも横方向Ａの目地溝４がアリ溝状に形成されていればよい。またタイル２の配列は千鳥状に限らず、桝目状に配列したものであってもよい。
【００２１】
次に、上記タイル壁３の施工手順の一例を説明する。タイルユニット７を作成する工程とタイルユニット７を壁面１に張り付ける工程とに分かれる。タイルユニット７は、図３（ａ）（ｂ）に示すように、タイル壁３に用いるタイル２の総数よりも少ない所定枚数のタイル２を１組としたタイル２群を備えたものである。このタイルユニット７は壁面１以外の水平な場所で作成する。先ず所定枚数のタイル２の前面２ｆをそれぞれ上向きにした状態で、これらタイル２を横方向Ａの目地溝４に相当する隙間Ｓ１（開口４ａ側の幅Ｃと同一幅）をあけて整列させ、且つ、縦方向Ｂの目地溝５に相当する隙間Ｓ２（開口５ａ側の幅Ｃ´と同一幅）をあけて整列させる。この整列状態で、各タイル２の前面２ｆ間に跨るように台紙９を例えば、でんぷん糊８（水溶性糊）を利用して仮接着する。これにより台紙９を利用してタイル２群が一体化されたタイルユニット７が得られる。本例では例えば１０枚１組のタイル２群を千鳥状に配列して台紙９で一体に連結して1つのタイルユニット７が作成される。このタイルユニット７を複数個作成する。なお台紙９はタイル２の張付作業完了後に剥がされるものであり、例えば水溶性の紙が用いられる。
【００２２】
一方、図３（ｃ）に示すように、建物の壁面１上に接着剤１１を全面に塗布する。接着剤１１として例えば、ゴム弾性を有し緩衝作用のある樹脂製弾性接着材を用いる。その後、上記タイルユニット７の張付作業を行なう。なお、接着剤１１を壁面１側ではなく、タイルユニット７の裏面２ｅ側に塗布してもよいものである。
【００２３】
タイルユニット７の張り付けは、タイルユニット７の台紙９が仮接着されている前面２ｆとは反対側の裏面２ｅを壁面１に押し付けて接着する。このときタイルユニット７は台紙９によって所定枚数のタイル２が連結されているため、作業者はタイルユニット７を壁面１に押し付けるだけで、所定枚数のタイル２を均一な接着力で正規の位置に接着することができる。
【００２４】
すべてのタイルユニット７の張付作業が終了した時点で、図３（ｄ）に示すように、タイルユニット７の前面２ｆを水洗いして台紙９を除去する。このとき水によってでんぷん糊８が溶かされ、台紙９が剥がれやすくなる。さらにタイル２の前面２ｆをブラシで擦ってきれいに仕上げることにより、タイル２の張付作業が終了する。
【００２５】
ちなみに、壁面１にタイル２を張り付けるにあたって、タイル２を一枚ずつ張り付けたのでは時間がかかり煩雑であるが、本発明のように台紙９を利用して所定枚数のタイル２群を一体に張り付けることによって、熟練者でなくてもタイル２が上下・左右にずれたり斜めにずれて張り付けられてしまうことがなく、タイル２を正確に張り付けることができるので、張付作業を効率良く且つ外観良く行なうことができ、結果、高度の熟練技術を必要とすることなく単純な張付作業を行うのみでタイル壁３を容易に構築でき、施工工数及び施工期間を大幅に削減できる。またタイル２の張り付け後は台紙９を水洗いによって簡単に剥がすことができるので、作業効率がより一層向上する。
【００２６】
なお、タイルユニット７の張り付け後に水洗いして台紙９を除去する際に、タイル２間の目地溝４，５内にでんぷん糊８が残ることがあり、これが原因で目地溝４，５内にカビが生えたり、白っぽくなったりすることがあるが，本発明では前述のように目地溝４，５の開口４ａ，５ａがそれぞれ幅狭となっていて汚れ１２が外部から目立ちにくいものであり、また降雨によって目地溝４，５内の汚れ１２がタイル２の前面２ｆを汚すようなこともないため、目地溝４，５内の汚れ１２は放置しても問題とはならない。
【００２７】
また前記各実施形態において、図４に示すように、タイル２の表面の最外層に光触媒層６をコーティングするのが望ましい。光触媒層６はタイル２の表面全体にコーティングされてもよいが、少なくとも屋外に露出する前面２ｆにコーティングすればよい。この光触媒は、太陽光があたると強い酸化作用が発生して、油などの有機物の汚れを分解する機能を有するものであり、従って、施工後はタイル２の表面を自己浄化（セルフクリーニング）できる。なおタイル２の表面に付着した埃などの無機物の汚れは光触媒では分解されないが、このような無機物の汚れは雨水によって自然に流れ落ちるので、結果、タイル２の表面をより長期に亘って美しく維持できるようになる。
【００２８】
本発明のタイル壁３及びこれに用いるタイルユニット７は、タイル２を壁面１に接着する湿式工法に限らず、例えばタイル２を釘打ち固定する乾式工法にも広く適用できるものである。
【図面の簡単な説明】
【００２９】
【図１】（ａ）は本発明の一実施形態を示すタイル壁の側面断面図であり、（ｂ）は横方向の目地溝を拡大した側面断面図であり、（ｃ）は横方向の目地溝と縦方向の目地溝とが交差している部分を雨水が流下する状態を説明する斜視図である。
【図２】同上のタイル壁を構築した家屋の概略図である。
【図３】同上のタイルユニットを示し、（ａ）はタイルユニットの平面図であり、（ｂ）は（ａ）のＥ−Ｅ線断面図であり、（ｃ）はタイルユニットを壁面に接着する工程を説明する側面断面図であり、（ｄ）は壁面にタイルユニットを接着した後に台紙を剥がす状態の説明図である。
【図４】同上のタイルの表面を光触媒層でコーティングした状態を説明する断面図である。
【図５】（ａ）は従来のタイル壁の目地溝の説明図であり、（ｂ）は目地溝内の汚れが雨水によってタイルの前面に排出される場合の説明図である。
【符号の説明】
【００３０】
１  壁面
２  タイル
２ａ  下端面
２ｂ  上端面
２ｃ  一側面
２ｄ  他側面
３  タイル壁
４  横方向の目地溝
４ａ  開口
５  縦方向の目地溝
５ａ  開口
６  光触媒層
７  タイルユニット
８  水溶性糊
９  台紙
Ａ  横方向
Ｂ  縦方向
Ｃ，Ｃ´  開口側の幅
Ｄ，Ｄ´  奥側の幅
Ｓ１，Ｓ２  目地溝に相当する隙間
【図１】
2007332568.tif 000003
【図２】
2007332568.tif 000004
【図３】
2007332568.tif 000005
【図４】
2007332568.tif 000006
【図５】
2007332568.tif 000007